(57)【特許請求の範囲】
【請求項１】
吐水口より洗浄水を噴射吐水して洗浄を行なう洗浄ノズルを有する洗浄装置であって、
吐出後の洗浄水の軌跡が螺旋状に軌道を拡大するように、洗浄水を略円錐状に吐水するための吐水揺動手段と、
吐出される洗浄水量が増大と減少とを繰り返すように、洗浄水を吐水するための吐水変動手段と、を備え、
前記吐水揺動手段及び前記吐水変動手段は、前記洗浄ノズル内に設けられ、洗浄水が旋回するように形成された旋回室と、少なくとも一部が前記旋回室内に配置され、前記旋回室内の洗浄水の流れを受けて回転する揺動部とを有し、前記揺動部には、前記旋回室内の洗浄水をその内部に流入させる給水口と、内部に流入した洗浄水を外部に吐水する前記吐水口とが形成され、
前記吐水揺動手段は、前記旋回室内における前記揺動部の自転又は前記揺動部が前記旋回室の中心軸に対して傾斜し円錐状に軌跡を描きながら回転する公転によって、洗浄水を略円錐状に吐水するものであり、
前記吐水変動手段は、前記旋回室内における前記揺動部の位置が自転又は公転によって変動することで、前記旋回室の内壁と前記揺動部とで形成される前記給水口に通じる通水路の面積を変動させるものであって、少なくとも洗浄水量が減少した状態では、前記通水路の面積が前記給水口の開口面積よりも小さくなるようにしたことを特徴とする洗浄装置。
【発明の詳細な説明】
【０００１】
【発明の属する技術分野】
本発明は洗浄水を吐水することにより、洗浄を行なう洗浄装置に関するものである。
【０００２】
【従来の技術】
従来は、より強い水流で洗浄しようとした場合、大量の洗浄水を吐水する必要があったり、より広い範囲を洗浄する目的や、人体洗浄の場合の洗浄感を向上させる為には、洗浄ノズルからの吐水を広範囲から大量に吐水する必要があった。
【０００３】
又、広範囲を洗浄する目的で洗浄ノズルから吐水される洗浄水を回転又は略回転するように吐水させて、洗浄ノズル自体を所定軌跡で移動させ洗浄水を吐水する方法が提案されている。例として、図１４に示すような、局部洗浄装置の洗浄ノズルを２つのモーターによるノズルの動きの組み合わせにより、所定軌跡で動かす場合がある。
【０００４】
又、特開平８−２４６５３５号に見られるように水流により旋回する羽根を有する旋回ギアと固定ギアの噛合いにより、噴出パイプ円錐状に旋回する例が示されている。
【０００５】
又、特開平８−８１９９１号に見られるように水流により回転するローターに邪魔板を取り付けて、洗浄水の水量を間欠的に制限して水流に脈流を与えるようにした例が示されている。
【０００６】
【発明が解決しようとする課題】
しかしながら、刺激をたもったまま広範囲を洗浄しようとした場合、大量にお湯を使わなければならず、従って温水タンク内のお湯がすぐになくなってしまったり、家庭用電源の範囲では洗浄水の流量が大きい為に瞬間式熱交換器ではお湯の温度が上がらないという問題があった。
【０００７】
又、広範囲の洗浄を行なう目的で、人体局部洗浄用の洗浄ノズルを２つのモーターによるノズルの動きの組み合わせにより、洗浄ノズル自体を所定軌跡で移動させ、洗浄水を回転又は略回転させながら吐水する場合は、洗浄ノズル自体を動かす為に駆動に大きな力が必要となったり、又大きな振動が発生したり、洗浄ノズルを組み込んだ装置までも振動させてしまったり、振動が騒音源になるといった問題があった。よって、問題にならないレベルの振動の強さで洗浄ノズルを駆動するには、低速で駆動する必要があり、洗浄水の回転又は略回転の回転数を高速にしたり、低速〜高速まで可変にできないといった問題もあった。
【０００８】
又、特に少ない流量で強い水流で洗浄しようとした場合、洗浄水流の流速を保ったまま、人体が認識不可能な速さで吐水を回転して、人体があたかも吐水の回転軌跡全体で流速を受けているように錯覚させる必要があった。
【０００９】
又、女性のビデ洗浄の様に「ソフトに広範囲を洗浄したい」という要望に対応する為には、洗浄対象がより振動などに敏感である為に、さらに高速で吐水を揺動させる必要があった。
【００１０】
又、揺動のみや変動のみによって大幅な節水を行なった場合、揺動のみの場合は水量を少なくする代わりに吐水口面積を小さくして流速を速める為、揺動周波数を大きくしても刺激感を強く感じてしまい、変動のみの場合は水量を少なくする代わりに瞬間流量の変動を大きくして流速を速める為、変動周波数を大きくしても振動感を強く感じてしまい、敏感な人体洗浄や人体局部あるいは女性局部洗浄などに用いた場合には、不快に感じてしまうという問題があった。
【００１１】
又、流体素子を用いて吐水を揺動させる場合、吐水時に洗浄水が飛び散ったりして洗浄に寄与しない無駄な水が大量に発生して節水を行なえなかったり、揺動させる方向や周波数がかぎられたりするなどの問題があった。
又、特に吐水後すなわち大気解放とした後で素子を用いて発振させる場合には、吐水された洗浄水の運動エネルギーが発振させる為に使われてしう為、吐水の勢いが弱まってしまうといった問題もあった。
【００１２】
本発明は、上記課題を解決するためになされたもので、本発明の目的は、より強い水流で洗浄したり、より広い範囲を洗浄した場合に、より少ない流量と水圧で使用者が快適に洗浄を行なうことが出来、揺動のための特別な電気的駆動装置を用いないことで、省エネや、振動や騒音が無いコンパクトな洗浄装置を提案するものである。
【００１３】
尚、本発明における運動エネルギー、遠心力を以下のように定義する。
運動エネルギーは
Ａ＝（ρ／２）×Ｖ×Ｖ×Ｑ[Ｗ]
で表わされる水の流れに支配されるエネルギーであり。
遠心力は
Ｆ＝ρ×Ｖ×Ｖ×Ｑ／Ｒ[Ｎ]
で表わされる水の回転や旋回によって発生して水の流れに支配され、前記回転もしくは旋回の回転半径方向に発生する力である。但し、水の密度ρ[ｋｇ／ｍ３]、水の流速Ｖ[ｍ／ｓｅｃ]、瞬間流量Ｑ[ｍ３／ｓｅｃ]、水の回転もしくは旋回半径Ｒ[ｍ]。
【００１４】
【課題を解決するための手段および作用・効果】
上記課題を解決するために本発明に係る洗浄装置は、吐水口より洗浄水を噴射吐水して洗浄を行なう洗浄ノズルを有する洗浄装置であって、吐出後の洗浄水の軌跡が螺旋状に軌道を拡大するように、洗浄水を略円錐状に吐水するための吐水揺動手段と、吐出される洗浄水量が増大と減少とを繰り返すように、洗浄水を吐水するための吐水変動手段と、を備え、前記吐水揺動手段及び前記吐水変動手段は、前記洗浄ノズル内に設けられ、洗浄水が旋回するように形成された旋回室と、少なくとも一部が前記旋回室内に配置され、前記旋回室内の洗浄水の流れを受けて回転する揺動部とを有し、前記揺動部には、前記旋回室内の洗浄水をその内部に流入させる給水口と、内部に流入した洗浄水を外部に吐水する前記吐水口とが形成され、前記吐水揺動手段は、前記旋回室内における前記揺動部の自転又は前記揺動部が前記旋回室の中心軸に対して傾斜し円錐状に軌跡を描きながら回転する公転によって、洗浄水を略円錐状に吐水するものであり、前記吐水変動手段は、前記旋回室内における前記揺動部の位置が自転又は公転によって変動することで、前記旋回室の内壁と前記揺動部とで形成される前記給水口に通じる通水路の面積を変動させるものであって、少なくとも洗浄水量が減少した状態では、前記通水路の面積が前記給水口の開口面積よりも小さくなるようにしたことを特徴とする。従って、アクチュエータや大掛かりな装置を用いずに吐水を広い範囲に噴射して洗浄を行なうことが出来る。又、吐水を揺動しながら吐水することで節水が可能となり、さらに電気的騒音や振動がほとんど無く、静音性・静振性に非常に優れた洗浄装置を提供できる。
【００１８】
又、吐水変動手段を備えて吐水に変動を与えて吐水後の瞬間流量を変動させることで、洗浄力や洗浄時の刺激を向上することが可能となる。これは、洗浄水を連続流の状態で吐水する場合に比べて、吐水に変動を与えることで瞬間流量がおおきくなり、結果として被洗浄物に洗浄水が衝突する際の衝突力（洗浄水密度と洗浄水衝突速度と瞬間流量の積で表わされる）が大きくなるので、大きな洗浄効果や刺激感を得ることが出来て、節水を行なうことが出来る。
【００１９】
従って、吐水揺動手段と吐水変動手段を備えてることで、広範囲の洗浄と洗浄力を保ったまま大幅な節水が可能な洗浄装置が可能となる。
又特に、揺動のみや変動のみによって大幅な節水を行なった場合に比べて、大幅に吐水口面積を小さくして流速を速めたり、大幅に瞬間流量の変動を大きくする必要が無く、吐水面積が小さく流速が早い洗浄水が人体に衝突することによる不快な刺激感や流量変動が大きすぎることによる不快な振動感がなく、人体洗浄や人体局部洗浄や女性局部洗浄などに用いることが出来る。
【００３４】
また本発明に係る洗浄装置では、前記吐水変動手段は、前記揺動部の自転又は公転によって、前記旋回室と前記揺動部とで形成される前記給水口に通じる通水路の面積を変動させ、洗浄水量を増大及び減少させるものであることを特徴としているので、吐水変動手段による洗浄水への変動の付与と吐水揺動手段による洗浄水への揺動の付与を揺動部の揺動によって同時に行なうことが可能となり、装置のさらなる簡略化が可能となる。又、揺動と変動のエネルギーを水流によって得ることが可能であるので振動や騒音などの心配もなく、駆動用の制御や大掛かりな装置も必要ない。
【００３６】
又、洗浄水中に空気を混入させることで、洗浄水が人体等に着水した時の空気の緩衝効果で、ソフトな洗浄感と刺激感を両立することも可能となる。
又、揺動手段と合わせて洗浄面積の増加と節水が同時に可能となってさらに節水が可能となる。
【００３７】
又、空気ポンプを用いた場合には、空気ポンプによって空気を加圧して洗浄水中に送り込むことが可能となるので、洗浄水の流速を速めて刺激を増加させたり節水を行なうことが出来る。又、同時に空気ポンプの吸気と排気に伴い、加圧される空気の圧力や流量は変動するので、自由に洗浄水に混入される空気の量を変動させて、よって空気が混入された洗浄水の密度や流速を変動させることが出来る。これにより、さらに洗浄時の刺激や洗浄力を高めたり、大幅な節水を行なうことが可能となる。
【００４１】
更に、前記吐水変動手段と前記吐水揺動手段を前記洗浄ノズル内に設けたことを特徴としているので、吐水を揺動させたり変動させたりする為の大掛かりな装置や電気的駆動源を必要としないで、吐水を広い範囲に噴射して洗浄を行い、さらには吐水に変動を与えることで吐水後の瞬間流量を変動させ、洗浄力や洗浄時の刺激を向上することが可能となる。又、洗浄ノズル内部に変動手段を設けることで、洗浄水に変動を与えた後すぐに洗浄水を吐水噴射することが出来る為、洗浄水に与えた変動エネルギーの減衰を少なくすることが可能となる。従って、変動エネルギーのロスを少なくすることが可能であり、又減衰した変動エネルギーが振動や騒音になるなどの問題がなくなる。
【００５７】
【発明の実施の形態】
以下、図面に基いて本発明の実施例について説明する。図１は本発明の第１実施例の人体局部洗浄装置の水路構成図である。水の流れに順じて上流側から、洗浄水中のゴミやスケールを除去する為に設けられたフィルタ８１と、洗浄水が上流の１次側に逆流しないように設けられた逆止弁８２と、１次側の水圧をあらかじめ設定された所定の水圧に調整する為の調圧弁８３と、洗浄水の通水と止水を制御する為の電磁弁８４と、前記調圧弁８３が作動しない時に設定以上の水圧が下流にかからない様に設けられた逃がし弁８５と、洗浄水を加熱して温水にする貯湯式もしくは瞬間式の熱交換器８６と、洗浄水量をあらかじめ設定された水量に調整する為の流量調整弁８７と、洗浄水を人体局部に向かって噴出する洗浄ノズル１と、前記洗浄ノズル１を洗浄時に所定の位置まで進出させるノズル駆動モータ８９とから構成されている。
【００５８】
以上の構成にて、洗浄水を噴射吐水する場合、使用者が操作手段を操作して洗浄開始の信号が制御回路に送られると、前記洗浄ノズル１が前記ノズル駆動モータ８９によって所定の洗浄位置まで進出させられた状態で、電磁弁８４が開いて洗浄水が通水状態となり、下流に設けられた洗浄ノズル１より人体局部に向かって洗浄水を噴出して洗浄を行なう。
【００５９】
又、図２は、前記洗浄ノズル１の詳細図で、図２（ａ）は洗浄ノズルの横からの断面図、図２（ｂ）は洗浄ノズル上からのＡＡ断面図、図２（ｃ）は洗浄ノズル上からのＢＢ断面図である。又、図３（ａ）は揺動部の断面図を示している。
【００６０】
以上、図に基づいて洗浄ノズル１について説明すると、図１に示した様に洗浄水が洗浄ノズル１に供給されると、洗浄ノズル１内部に設けられた、通水路２、旋回室流入路３、旋回室４の順に供給される。旋回室流入路３は通水路２より通水断面積が小さく構成されており、かつ旋回室４の中心に対して接線方向から洗浄水を供給されるように構成されている。又、旋回室４内部には揺動部１０が設けられており、この揺動部１０には洗浄水を給水される給水口１３と給水口１３と連通して吐水口１１より洗浄水を噴射吐水する吐水口部１１ａが設けられている。
【００６１】
又、揺動部１０には旋回室内部の水流を受けて揺動部軸線周りに自転するように受力部として、羽根１２が設けられており、さらに洗浄ノズル１内にあって前記旋回室４上部の開口部に設けられたシール部５に、前記吐水口部１１ａが内接するように挿入されている。
【００６２】
又、さらに洗浄水が洗浄ノズル１より揺動部１０に供給される際、洗浄ノズル１に設けられた旋回室４の上部下流にあって、旋回室４内部に挿入された揺動部１０に設けられた給水口１３と相対して且つスリット状に設けられた旋回室流出口６と、給水口１３が揺動部１０の自転回転に伴い周期的に対向する様に設けられている。従って、旋回室流出口６を通って給水口１３へ流入する洗浄水量は回転周期と共に増大と減少を周期的に繰り返す構成となっている。
【００６３】
又、図３（ａ）に示すように揺動部１０は、洗浄水が給水される給水口１３と給水口１３と連通して洗浄水を噴射吐水する吐水口１１を結ぶ流路、すなわち吐水方向を決める流路が、揺動ノズル１０の中心軸に対して傾斜した状態で設けられている。
【００６４】
以上の構成で洗浄水を吐水した場合について図４に基づいて説明すると、洗浄ノズル１に供給された洗浄水は通水路２より通水路面積が狭くなった旋回室流入路３によって流速が速められて旋回室４に流入する。又、旋回室流入路３は旋回室４に対して接線方向から洗浄水を流入するように構成されている為、旋回室４内部に流入した洗浄水は旋回室４内部で旋回し、旋回室４内部に挿入された揺動部１０に設けられた羽根１２に旋回の流れを受けさせて揺動部１０を自転回転させた後、揺動部１０に設けられた給水口１３、吐水口１１を通って噴射吐水される。この時、洗浄水はシール部５によって洗浄ノズル１と揺動部１０の間のシールがなされている
【００６５】
以上の構成にて洗浄水を噴射して、人体局部を洗浄する際の洗浄水の軌跡を図４に示している。図４に示す様に、揺動部１０が旋回室４内部の洗浄水の旋回によって自転回転することで、揺動部１０の自転回転軸に対して吐水方向が斜めになるように設けられた吐水口１１により、揺動部１０に供給された洗浄水は、揺動部１０に対して斜め方向に噴射されながら回転する。従って吐水後の洗浄水の軌跡は螺旋状に軌道を拡大しながら円錐状に吐水され、洗浄水が人体等の被洗浄物にあたる時の洗浄面積は略円状の軌跡を描き、吐水口の開口面積に比べて、はるかに洗浄面積を拡大することが出来る。
【００６６】
又この時、洗浄水が人体等の被洗浄物にあたる瞬間の力と面積をそれぞれＦ１、ΔＳとして、公転の周波数をｆ１とすると、人体がある瞬間に感じる洗浄水の強さはＦ１／ΔＳであり、公転周波数ｆ１の逆数、すなわち微少時間Δｔ＝１／ｆ１の時間に人体等の被洗浄物にあたる総面積はΔＳを積分した、Ｓ＝∫ΔＳとなる。
【００６７】
又一方、人が刺激を肌等で感じる時に、刺激を感じる受容器は、人や刺激を受ける場所によっても異なるが数Ｈｚ〜数百Ｈｚの範囲の刺激に対して、刺激を連続してもしくは、連続と同様な刺激を受けている様な錯覚を生じる。従って、ある瞬間に強さＦ１／ΔＳの刺激をΔｔの周期である軌道で移動（移動総軌跡Ｓ＝∫ΔＳ）した場合、人は強さＦ１／ΔＳの刺激を総面積Ｓで受けているように錯覚を生じる。この傾向はΔｔが小さいほど顕著に表れて、ｆ１＝約３ＨｚすなわちΔｔ＝約０．３秒程度から感じ始める。従って、以上の説明の様に図４に示すように吐水させることで、洗浄の刺激を損なう（小さくする）ことなく洗浄面積を大きくすることが出来る。
【００６８】
又、さらに洗浄水が洗浄ノズル１より揺動部１０に供給される際、給水口１３と相対して且つスリット状に設けられた旋回室流出口６と、給水口１３が揺動部１０の自転回転に伴い周期的に対向して、洗浄水の通水路面積が回転周期と共に増大と減少を周期的に繰り返す構成となっていることで、揺動部１０より吐水される洗浄水量は、揺動部１０の自転周期に合わせて増大と減少を繰り返す変動流となって、吐水される。
【００６９】
又、洗浄水が人体等の被洗浄物にあたる瞬間の力Ｆ１（以下、力Ｆ１と呼ぶ）と、吐水される洗浄水量Ｑ１の関係は、吐水口面積をＳ１、洗浄水の流速をＶ１とすると、
Ｆ１＝ρ×Ｑ×Ｖ１＝ρ×Ｑ×Ｑ／Ｓ１
で表わされ、力Ｆ１は瞬間流量Ｑの２乗に比例することから、揺動部１０より吐水される洗浄水流量Ｑが変動する場合、変動した時の最大流量の２乗に比例した刺激を感じることになり、大幅に刺激や洗浄力を増加させることが可能となる。
【００７０】
又、本実施例では、給水口１３は揺動部１０に対して円周方向に貫通して設けてあるので、揺動部１０が一回転する間に流量の増減を２回繰り返す構成となっている
ので、揺動周波数が３Ｈz以上の時は変動すなわち脈流の周波数は６Ｈz以上となり、あたかも連続して刺激を受けているように感じることが出来る。この傾向は、揺動周波数と同様に脈流周波数が大きい方が顕著に表れる。
【００７１】
従って、吐水に変動を与えながら揺動させて吐水させることで、節水を行なって洗浄範囲を拡大させるだけでなく、洗浄時の刺激や洗浄力を向上させることができる。
【００７２】
又この時、旋回室流入路３の通水路面積を小さくして旋回室内に流入する洗浄水流速を大きくして、旋回室内の旋回流を強めることで、揺動部１０の自転周期、すなわち揺動周期を４０Ｈz以上とすることで、変動周期も同様に４０Ｈz以上となり、揺動による刺激変化や変動による刺激変化に敏感な女性局部洗浄装置の洗浄装置や、敏感な肌用のシャワー装置の洗浄ノズルとして用いても、不快な刺激変化を感じること無く、快適に使用することが可能となる。
【００７３】
又、揺動部１０と旋回室流出口６の開口面積を調整して、通水路面積の変動量を大きくして、洗浄水量を変動させて、洗浄水の衝突力の変動を１０％以上とすると、人体の皮膚は少ない刺激に対して、力と皮膚の変形の関係がほぼ比例するから、皮膚変形の変動も１０％以上となり、変動のピーク値を刺激として錯覚することが出来て、より効果的に変動による刺激感を人体に感じさせることが出来る。
【００７４】
又、この場合洗浄水量だけでなく、洗浄水の速度や密度や運動エネルギーを変動させても同じ効果が得られる。
又、吐水の面積を変動させても同様に、吐水面積の変化を認識し易くなり、より効果的に刺激を感じることが可能となる。
【００７５】
又、給水口１３もしくは旋回室流出口６の場所や数を変えることで揺動と脈流のタイミング、すなわち洗浄力や刺激強度の場所や数を自由に設定することが出来る。
【００７６】
又、図３（ｂ）に示す様に揺動部１６は、洗浄水が給水される給水口１７と給水口１７と連通して洗浄水を噴射吐水する吐水口１５が、揺動ノズル１６の中心軸と平行で中心軸に偏心した状態で設けても良い。この場合、洗浄水の軌跡は吐水口１５の偏心した円柱状の軌道を描いて吐水され、吐水の拡大量は小さくなるが、より集中して洗浄力を上げる洗浄に適している。
【００７７】
又、第２の実施例について説明すると、図５（ａ）に示すように揺動部２０は、洗浄水が給水される給水口２３と給水口２３と連通して洗浄水を噴射吐水する吐水口２１が吐水口部２１ａに、揺動部２０の中心軸に沿って設けられている。
【００７８】
又、図５（ｂ）は本実施例の洗浄ノズルの横断面図と吐水状態図を表わしており、図に基づいて説明すると、給水源（図示せず）から供給された洗浄水は洗浄ノズル１に供給されると洗浄ノズル３１内部に設けられた、通水路３２、旋回室流入路３３、旋回室２４の順に供給される。旋回室流入路３３は通水路３２より通水断面積が小さく構成されており、かつ旋回室２４の中心に対して接線方向から洗浄水を供給されるように構成されている。又、旋回室２４内部には揺動部２０が設けられており、揺動部２０には旋回室２４内部の水流を受けて揺動部２０軸線周りに自転するように羽根２２が設けられている。
【００７９】
又、洗浄ノズル３１内部にあって旋回室２４上部の開口部に設けられたシール部３４に、吐水口部２１ａが内接するように挿入されている。又、シール部３４は弾性体で構成されているので、揺動部２０が旋回室２４内部で揺動部２０自身を中心に回転する自転や、揺動部２０がシール部３４を頂点として円錐状に回転を行なう公転等が自在に行なえるようになっており、又、シール部３４に対して、揺動部２０が旋回室２４中心軸に対して傾斜可能なように設けているので、旋回室２４内部の洗浄水の流れや流れによって発生する遠心力によって、揺動部２０が旋回室２４中心軸に対して傾斜して公転可能に構成されている。
【００８０】
又、この時揺動部２０は旋回室２４上部に設けられたテーパガイド部２８によって最大傾斜角度が規制されるように構成されている。
【００８１】
又、さらに洗浄水が洗浄ノズル３１より揺動部２０に供給される際、洗浄ノズル３１に設けられた旋回室２４の上部下流にあって、旋回室２４内部に挿入された揺動部２０に設けられた給水口２３と相対して且つスリット状に設けられた旋回室流出口２６と、給水口２３が揺動部２０の自転回転に伴い周期的に対向する様に設けられている。従って、旋回室流出口２６を通って給水口２３へ流入する洗浄水量は回転周期と共に増大と減少を周期的に繰り返す構成となっている。
【００８２】
以上の構成で洗浄水を吐水した場合について図５（b）に示す。洗浄ノズル３１に供給された洗浄水は通水路３２より通水路面積が狭くなった旋回室流入路３３によって流速が速められて旋回室２４に流入する。次に、旋回室流入路３３は旋回室２４に対して接線方向から洗浄水が流入するように構成されている為、旋回室２４内部に流入した洗浄水は旋回室内部で旋回し、旋回室２４内部に挿入された揺動部に設けられた羽根１２に流れのエネルギーの一部を与えることで揺動部を自転させた後、揺動部２０に設けられた給水口２３、吐水口２１を通って噴射吐水される。この時、洗浄水はシール部３４によって洗浄ノズル３１と揺動部２０の間のシールがなされている。
【００８３】
さらに、シール部３４に対して、揺動部２０が旋回室２４に対して傾斜可能なように設けているので、旋回室２４内部の洗浄水の旋回流の流れと、旋回によって発生する遠心力によって、揺動部２０は旋回室２４上部に設けられたテーパガイド部２８に沿って、最大傾斜角度が規制された状態で、旋回室中心軸まわりに公転する。
【００８４】
従って、吐水された洗浄水の軌跡について説明すると、洗浄水が旋回室２４内部で旋回して、揺動部２０を公転させることで、揺動部２０に設けられた吐水口２１より噴射される洗浄水は、吐水口２１が揺動部２０の公転に伴い吐水方向を変えながら公転することで、螺旋状に拡大した軌道を描きながら吐水される。従って、第１の実施例と同様に揺動部２０に設けた吐水口２１の開口面積や公転の軌道より遥かに大きい軌跡で吐水を揺動させることが可能となり、吐水口部２１ａを非常に小さくして揺動時の摺動抵抗を小さくすることが可能となる。
【００８５】
又、さらに洗浄水が洗浄ノズル３１より動部２０に供給される際、給水口２３と相対して且つスリット状に設けられた旋回室流出口２６と、給水口２３が揺動部２０の自転回転に伴い周期的に対向して、洗浄水の通水路面積が回転周期と共に増大と減少を周期的に繰り返す構成となっていることで、揺動部２０より吐水される洗浄水量は、揺動部２０の自転周期に合わせて増大と減少を繰り返す変動流となって、吐水される。
【００８６】
従って、第１の実施例と同様に、吐水に変動を与えながら揺動させて吐水させることで、節水を行なって洗浄範囲を拡大させるだけでなく、洗浄時の刺激や洗浄力を向上させることができる。
【００８７】
又、揺動部２０の代わりに図３（ａ）に示した揺動部１０を用いることも可能である。
この場合、給水口１３と給水口１３と連通して洗浄水を噴射吐水する吐水口１１が、揺動部１０の中心軸すなわち自転軸に対して傾斜した状態で設けられているので、図６に示す様に、洗浄水の旋回の流れによって揺動部１０が揺動部１０の中心軸まわりに回転する自転と、旋回室中心軸周りに回転する公転を行なう。
【００８８】
従って、吐水された洗浄水の軌跡は自転による円錐状の螺旋軌跡と公転による円錐状の螺旋軌跡が合成された一つの軌道となって吐水され、洗浄水が人体等の被洗浄物にあたる時の洗浄面積は、２つの円錐状の螺旋軌跡が合成された略円状の軌跡となる。
【００８９】
従って、この場合洗浄面積をさらに拡大できるだけでなく、略円状の軌跡の吐水内部の中抜けを無くすことが出来る。よって、人体局部洗浄装置の洗浄ノズルなどに応用した場合、単に吐水を分散して洗浄面積を拡大した場合と異なって、洗浄水を高速で揺動することで、洗浄水が人体に当った瞬間の洗浄力や刺激を保ったまま洗浄面積を拡大することが出来る。
【００９０】
又、図３（b）に示した揺動部１６を用いることも可能である。揺動部１６は洗浄水が供給される給水口１７と給水口１７と連通して噴射吐水する吐水口１５が揺動部１６の中心軸に対して偏心した状態で設けられている。この場合、洗浄水の吐水の軌跡は図６と同様に異なる２つの洗浄水の軌跡の合成軌跡となる。
【００９１】
上記第１および第２の実施例において、揺動部１０、１６、２０に設けた羽根形状としては羽根の枚数を増減させたり、三角柱や四角柱や円柱形状でも良い。この様に羽根形状を変化させることで、揺動部の自転回転速度を変えることも出来る。
【００９２】
又例えば、洗浄ノズル３１と揺動部２０の隙間やテーパガイド部２８のテーパ角度を変えることで、揺動部２０の公転角度を変えることが可能となる。例えば、洗浄対象が人体局部のように小さく敏感な場合には、揺動部２０と洗浄ノズル３１との隙間を小さくすることにより、揺動部２０の公転角度を小さくして、又羽根２２を比較的小さくもしくは四角柱や三角柱や円柱のようにして公転時の抵抗を減少させることで、自転周波数よりも公転周波数を大きく、すなわち高速で公転運動することが出来るので、集中洗浄が可能となり、且つ同時に吐水を強く受けているような洗浄感にすることが可能である。
【００９３】
この場合、洗浄水を肛門に進入させた浣腸効果を狙った洗浄や、１ヶ所を狙って集中的に洗う場合等に適している。
【００９４】
従って、揺動部２０と洗浄ノズル３１の隙間や、羽根形状や形状を変えることで公転角度や、自転運動と公転運動の周波数を変えることが出来、洗浄目的や洗浄範囲等によって自由に設定することが可能である。
【００９５】
又、上記すべての実施例において、揺動部１０、１６、２０と洗浄ノズル１、３１との摺動部には弾性体のシール部５、３４を用いたが、シール部をなくして洗浄ノズルと揺動部の一部を直接接触させて摺動させる構成にしても良い。この場合、洗浄ノズルと揺動部には摺動性もしくは耐摩耗性の良いポリアセタール、ナイロン、ポリプロピレン、ポリ四フッ化エチレン、シリコーン、ＡＢＳ、ＰＰＳ等の樹脂を用いたり、表面粗さを小さくするなどすれば良い。
【００９６】
第３の実施例について、図７、図８に基づいて説明すると、図７は水車４０の詳細図、図８は洗浄ノズルの断面図および吐水状態図である。
図７に示すように、水車４０は水流を受けて水車軸４３まわりに回転するように水車羽根４１が設けられていると共に、水車羽根４１の外周の周方向の一部にリング状の遮蔽部４２が設けられている。
【００９７】
又、図８に示すように洗浄ノズル胴体部５１ａ内部には、図示しない給水源より供給されて図１の水路を経て洗浄ノズルに供給された洗浄水を、洗浄ノズル５１の供給する通水路５２と通水路５２の途中に回転室４７が設けられており、回転室４７の内部には水車４０が水流によって水車軸４３まわりに回転する様に支持されている。
【００９８】
又、水車４０が水流によって回転する際にある回転角度によっては遮蔽部４２によって通水路５２の全部または一部が塞がれるように構成されている。
【００９９】
又、図５（ａ）に示したように揺動部２０は、洗浄水が給水される給水口２３と給水口２３と連通して洗浄水を噴射吐水する吐水口２１が吐水口部２１ａに、揺動部２０の中心軸に沿って設けられている。
【０１００】
又、図８に示す様に、洗浄水が、洗浄ノズル胴体部５１ａ内部の通水路５２に連通してもうけられた洗浄ノズル５１内部の通水路５２を経て、旋回室流入路５３、旋回室５４の順に供給されるように構成されている。
【０１０１】
又、旋回室流入路５３は通水路５２より通水断面積が小さく構成されており、かつ旋回室５４の中心に対して接線方向から洗浄水を供給されるように構成されている。
又、旋回室５４内部には揺動部２０が設けられており、揺動部２０には旋回室４内部の水流を受けて揺動部２０軸線周りに自転するように羽根２２が設けられている。
【０１０２】
又、洗浄ノズル５１内部にあって旋回室５４上部の開口部に設けられたシール部５６に、吐水口部２１ａが内接するように挿入されている。又、シール部５６は弾性体で構成されているので、揺動部２０が旋回室５４内部で揺動部２０自身を中心に回転する自転や、揺動部２０がシール部５６を頂点として略円錐状に回転を行なう公転等が自在に行なえるようになっており、従って旋回室５４内部の洗浄水の流れや流れによって発生する遠心力によって、揺動部２０が旋回室５４中心軸に対して傾斜して公転するように構成されている。
【０１０３】
又、この時揺動部２０は旋回室５４上部に設けられたテーパガイド部５８によって最大傾斜角度が規制されるように構成されている。
【０１０４】
以上の構成で吐水された洗浄水の軌跡について説明すると、図８に示すように、洗浄水が通水路５２、旋回室流入路５３を経て旋回室５４に供給されて、旋回室内部で旋回することにより、揺動部２０を揺動部２０の中心軸周りに自転回転させると共に、洗浄水が旋回することで発生する遠心力によって揺動部２０を旋回室中心軸に対して傾斜させながら旋回室中心軸まわりに公転回転運動を行なわせながら、揺動部２０に設けた吐水口２１より吐水方向を変えながら噴射される。
【０１０５】
さらに、通水路５２に設けられた回転室４７に流入した洗浄水は、回転室４７に設けられた水車４０の水車羽根４１に流れのエネルギーを与えることで、水車を回転させる。
この時水車４０の円周上に設けられた遮蔽部４２により、水車４０が回転することで、洗浄水の通過面積が周期的に変動して流量が周期的に変動する。
【０１０６】
従って、吐水口２１より噴射吐水された洗浄水は、揺動部２０の公転回転運動による円錐状の螺旋軌跡と、水車４０の回転による周期的な開口通水路面積の変動による周期的な瞬間洗浄水量の変動とによって、洗浄部位で洗浄水が略円状の軌道を描くと共に、略円状の軌道上で瞬間流量が変動する。
【０１０７】
従って、第１、第２の実施例と同様に、吐水に変動を与えながら揺動させて吐水させることで、節水を行なって洗浄範囲を拡大させるだけでなく、洗浄時の刺激や洗浄力を向上させることができる。
【０１０８】
又、本実施例の場合、瞬間流量が最大となる場所を洗浄水の軌道状に自由に設定することが出来る。
すなわち、水車羽根４１の枚数や形状、揺動部２０に設けた羽根２２の枚数や形状を変えることで、すなわち洗浄水が描く円軌道の周波数と、瞬間流量の変動周期を独立して自由に変えることが可能となり、結果として洗浄部位での洗浄水軌跡上の瞬間流量が最大となる場所や数を自由に変えることが出来る。従って、単に洗浄面積を拡大するだけでなく、洗浄水量すなわち洗浄時の刺激や洗浄力の強弱の場所や数をより自由に設定することが可能となり、より効率的な節水と洗浄を行なうことが可能となる。
【０１０９】
又、本実施例で用いた揺動ノズル２０の代わりに図３（ａ）、図３（ｂ）に示した様な揺動部１０や揺動部１６を用いても良い。この場合、吐水された揺動軌跡は２つの円錐状の螺旋軌道が組合わさった合成の軌跡となり、より広い範囲にむらなく吐水することが出来る。
【０１１０】
又、本実施例で示した洗浄ノズル５１の代わりに、図９（ａ）、図９（ｂ）に示した様な洗浄ノズル６１を用いても良い。
この場合の構成について説明すると、図９（ａ）は非通水時の洗浄ノズルの横からの断面図、図９（ｂ）は通水時の洗浄ノズル横からの断面図である。
【０１１１】
給水源（図示せず）から供給された洗浄水は洗浄ノズル６１に供給されると洗浄ノズル６１内部に設けられた、通水路６２、旋回室流入路６３、旋回室６４の順に供給される構成となっている。
又、旋回室流入路６３は通水路６２より通水断面積が小さく構成されており、かつ旋回室６４の中心に対して接線方向から洗浄水を供給されるように構成されている。
【０１１２】
又、旋回室６４内部には揺動部７０が設けれており、この揺動部７０には洗浄水をが給水される給水口７３と給水口７３と連通して洗浄水を噴射吐水する吐水口７１、旋回室６４中の洗浄水より流れのエネルギーを受ける受力部７２より構成されている。
【０１１３】
又、揺動部７０は弾性体７５を介して洗浄ノズル６１と一体に設けられており、弾性体７５は揺動部７０が旋回室６４内の中心軸に対して傾斜公転可能になる様に変形可能な円環状の弾性体膜状部７５ａを有している。
【０１１４】
従って、旋回室６４内部に洗浄水が供給されて洗浄水が旋回室６４内部で旋回することで、発生する遠心力と洗浄水の運動エネルギーによって、揺動部７０が旋回室６４中心軸に対して傾斜して公転運動する構成になっている。
【０１１５】
以上の構成で吐水された洗浄水の軌跡について説明すると、第１、第２の実施例と同様に、揺動部７０が、旋回室６４中心軸まわりの公転運動をおこないながら、洗浄水を噴射吐水することで、吐水された洗浄水の軌跡は螺旋を描きながら円錐状に拡大吐水される。
【０１１６】
従って、洗浄ノズル５１を用いた場合の実施例と同様に、吐水に変動を与えながら揺動させて吐水させることで、節水を行なって洗浄範囲を拡大させるだけでなく、洗浄時の刺激や洗浄力を向上させることができる。
さらに、この時揺動部７０は弾性体を介して揺動しているので、回転摺動抵抗やシール構造を必要としない。よって構造が簡単になるだけでなく、洗浄水中のスケール等による固着や漏水の心配がない。
【０１１７】
又、弾性体７５の材料としてはシリコンやＮＢＲ，ＥＰＤＭ，フッ素ゴム等の合成ゴム等が考えられるが、弾性体７５をスチレン系やオレフィン系のエラストマーで構成して、揺動部７０と一体成形して密着強度や組立て性を向上しても良く、この場合成形を用いれば、加硫工程等が必要なく、成形サイクルの短縮にもつながる。
【０１１８】
又図１０に示すように、この時吐水の方向を揺動部７０の中心軸に対して傾斜して設けたり、中心軸に対して偏心して設けても良く、この場合、洗浄水の軌跡を任意の方向にオフセットしたり、傾けたりすることが可能となる。よって、図１０に示す様に、人体局部洗浄装置に用いた場合、おしりを洗浄する際に洗浄ノズルの進出方向に傾けることで、洗浄した汚水がノズルに再びかかるのを防ぐことが可能となったり、逆にノズルの進出方向と逆に傾けることで、ビデ洗浄をする際に吐水が前方に飛び散ったりするのを防ぐことが可能となる。
【０１１９】
又、第４の実施例について、図１１（ａ）、図１１（ｂ）に基づいて説明すると、図１１（ａ）は本発明の洗浄ノズルをシャワー装置として用いた場合の、シャワー装置の横からの断面図、図１１（ｂ）は図１１（ａ）におけるＡ−Ａ断面図である。又、吐水変動装置は第３の実施例で示した洗浄ノズル胴体部５１ａと同じ水車４０と回転室４７を備えた、シャワー装置胴体部９１ａを用いている。
【０１２０】
図１１（ａ）に示すようにシャワー装置胴体部９１ａ内部には、図示しない給水源から供給された洗浄水を、シャワー装置９１に供給する通水路９６と通水路９６の途中に回転室４７が設けられており、回転室４７の内部には水車４０が水流によって水車軸４３まわりに回転する様に支持されている。
又、水車４０が水流によって回転する際にある回転角度によっては遮蔽部４２によって通水路９６の全部または一部が塞がれるように構成されている。
【０１２１】
又、シャワー装置胴体部９１ａから供給された洗浄水は、シャワー装置９１に供給されるとシャワー装置９１内部に設けられた、通水路９６、バッファ室流入路９５、バッファ室９８、旋回室９４の順に供給される。バッファ室流入路９５は通水路９６より通水断面積が小さく構成されており、洗浄水の運動エネルギーが高められた状態でバッファ室９８を通して旋回室９４内部に洗浄水を供給するように構成されている。
【０１２２】
又、バッファ室９８内部には旋回室９４と揺動部９０が複数設けれており、このそれぞれの揺動部９０には洗浄水が給水される給水口９３と前記給水口９３と連通して洗浄水を噴射吐水する吐水口９２、旋回室９４中の洗浄水より揺動エネルギー、すなわち運動エネルギーと前記運動エネルギーによって生じる遠心力を受ける受力部９７より構成されている。
【０１２３】
又、前記揺動部９０は弾性体９９を介してシャワー装置９１と一体に設けられており、前記弾性体９９は揺動部９０が旋回室９４内部で公転可能になる様に、それぞれの揺動部９０の周りに円環状の薄い膜で構成されている。
【０１２４】
又、バッファ室９８内部には旋回ガイド１０１が前記揺動部９０を一部を開口した状態で囲う様に設けられ、前記旋回ガイド１０１によってバッファ室９８内部に流入した洗浄水が旋回するように旋回室９４を構成している。
【０１２５】
従って、洗浄水が流速が高められた状態で、前記バッファ室９８を経て前記旋回室９４内部に流入すると、洗浄水は旋回ガイド１０１内部で旋回して、前記揺動部９０に設けられた給水口９３に給水される。又、前記旋回受力部９７が、前記旋回室９４内の旋回による運動エネルギーを受けて揺動部９０が揺動することで、揺動部９０に設けられた吐水口９２より吐水される洗浄水は前記揺動部９０の揺動に合わせて揺動しながら吐水される。
【０１２６】
又、さらに通水路９６に設けられた回転室４７に流入した洗浄水は、回転室４７に設けられた水車４０の水車羽根４１に流れのエネルギーを与えることで、水車を回転させる。この時、水車４０の円周上に設けられた遮蔽部４２により、水車４０が回転することで、洗浄水の通過面積が周期的に変動して流量が周期的に変動する。
【０１２７】
従って、以上の構成にて洗浄水を吐水した場合について、図１２に基づいて説明すると、シャワー装置９１に供給された洗浄水は、シャワー装置９１に複数設けられた揺動部９０によって揺動しながら吐水される。従って、吐水された洗浄水の軌跡は、それぞれが独立した複数の揺動軌跡として吐水されて、人体等の洗浄を行なう。
【０１２８】
又、水車４０の回転による周期的な通水路面積の変動による周期的な瞬間洗浄水量の変動とによって、洗浄部位で洗浄水が略円状の軌道を描くと共に、略円状の軌道上で瞬間流量が変動する。
【０１２９】
従って、洗浄水量を減らしても、刺激と洗浄面積を広く確保した吐水を行なうことが可能であり、さらに揺動周波数を３Ｈz以上とすることで、あたかも均一に吐水があたっているかの様に感じることができる。
【０１３０】
又、第１、第２、第３の実施例と同様に、吐水に変動を与えながら揺動させて吐水させることで、節水を行なって洗浄範囲を拡大させるだけでなく、洗浄時の刺激や洗浄力を向上させることが可能となる。
【０１３１】
又さらに揺動周波数や変動周波数を大きくすれば、人体の皮膚感覚が敏感な部分の洗浄を行なう際の不快な感覚を無くすことが可能である。
【０１３２】
又、上記すべての実施例以外の変動装置として、洗浄水の加圧用のポンプを用いても良い。この場合、給水圧が低かったり、給水圧が変動するといった場合に、洗浄水の加圧と同時に洗浄水への変動の付与が可能となり、効率良く節水を行なうことが可能となる。この場合、通常ポンプによる洗浄水への変動を減衰させる為に用いるアキュームレータを無くせばより変動を減衰させずに使用することが出来る。又、ポンプとしては電磁ポンプやダイヤフラム式ポンプ、ベーンポンプ、ロータリーポンプ、ギアポンプ、圧電ポンプなどをもちいれば良い。
【０１３３】
又、給水圧が十分ある場合には、前述したポンプの下流側の逆止弁を無くして加圧機能を無くし、洗浄水に変動を与える装置として使用しても良く、この場合ポンプは加圧する必要が無いので、消費電力を非常に小さくすることが出来る。
【０１３４】
又、第５の実施例について、図１３（ａ）、図１３（ｂ）に基づいて説明すると、図１３（ａ）は非通水時の洗浄ノズルの横からの断面図、図１３（ｂ）は通水時の洗浄ノズルの横からの断面図である。
【０１３５】
給水源（図示せず）から供給された洗浄水は洗浄ノズル１２１に供給されると洗浄ノズル１２１内部に設けられた、通水路１２２、旋回室流入路１２３、旋回室１２４の順に供給される構成となっている。
又、旋回室流入路１２３は通水路１２２より通水断面積が小さく構成されており、かつ旋回室１２４の中心に対して接線方向から洗浄水を供給されるように構成されている。
【０１３６】
又、旋回室１２４内部には揺動部１１０が設けれており、この揺動部１１０には洗浄水が給水される給水口１１３と、給水口１１３と連通して洗浄水を噴射吐水する吐水口１１１、旋回室１２４中の洗浄水より流れのエネルギーを受ける受力部１１２より構成されている。
【０１３７】
又、揺動部１１０は弾性体１１５を介して洗浄ノズル１２１と一体に設けられており、弾性体１１５は揺動部１１０が旋回室１２４内の中心軸に対して傾斜公転可能になる様に変形可能な円環状の弾性体膜状部１１５ａを有している。
【０１３８】
従って、旋回室１２４内部に洗浄水が供給されて洗浄水が旋回室１２４内部で旋回することで、発生する遠心力と洗浄水の運動エネルギーによって、揺動部１１０が旋回室１２４中心軸に対して傾斜して公転運動する構成になっている。
【０１３９】
又、揺動部１１０には給水口１１３より洗浄水を給水して、流速を速めるオリフィス１１６と、オリフィス１１６によって流速が速められた洗浄水を大気に解放して洗浄水と空気を混合するスロート室１１７と、スロート室１１７を大気と連通させる空気吸込口１１８を有している。
【０１４０】
以上の構成で吐水された洗浄水の軌跡について説明すると、第３の実施例と同様に、揺動部１１０が、旋回室１２４中心軸まわりの公転運動をおこないながら、洗浄水を噴射吐水することで、吐水された洗浄水の軌跡は螺旋を描きながら円錐状に拡大吐水される。
【０１４１】
又この時、揺動部１１０に設けれた給水口１１３より給水された洗浄水は、オリフィス１１６によって流速が速められてスロート室１１７に噴射される。スロート室１１７は空気吸込口１１８を通じて大気解放になっており、スロート室に噴射された流速の速められた洗浄水は、洗浄水の周りの空気をせん断力で引き込んで、スロート室内部で空気と混合される。
【０１４２】
すなわち、このようなエジェクタ効果を有する揺動部１１０によって吐水された洗浄水は、空気を混入された状態で噴射される。又、スロート室１１７内の洗浄水と空気との混合によって、空気の吸込み量は変動した非定常なものとなり、従って、噴射された洗浄水へ混合または混入される空気の量も非定常となり、空気と洗浄水が混ざって一体とした時の洗浄水の密度や、洗浄水の見かけの流量や、流速も変動した非定常なものとなる。
【０１４３】
従って、噴射された洗浄水に変動が付与されることで、これまで示した実施例と同様に洗浄効果を高めることが出来る。よって、洗浄ノズル５１、６１を用いた場合の実施例と同様に、吐水に変動を与えながら揺動させて吐水させることで、節水を行なって洗浄範囲を拡大させるだけでなく、洗浄時の刺激や洗浄力を向上させることができる。
【０１４４】
さらに、この時揺動部１１０は弾性体を介して揺動しているので、回転摺動抵抗やシール構造を必要としない。よって構造が簡単になるだけでなく、洗浄水中のスケール等による固着や漏水の心配がない。
【０１４５】
又、本実施例ではエジェクタ効果を利用したが、空気ポンプを用いて空気を強制的に混入しても良い。例えばこの場合、空気ポンプにダイヤフラム式ポンプを用いれば、加圧された空気の流量や圧力は、ダイヤフラムの吸気と排気に合わせて変動する。従って、エジェクタ効果を用いた場合と同様に洗浄水に変動を与えることが可能となる。又、この場合空気を強制的に混入することで、混入できる空気の量を増やすことが可能となり、空気混入による、洗浄水の流速増加による洗浄時の刺激増大効果が大きくなり、より節水や洗浄力を高めることが可能となる。
【０１４６】
又、この場合空気を混入する場所としては、ノズル先端でもノズル手前でも良い。ノズル先端の場合は混入した空気が比較的小さいまま洗浄水と一緒に噴射され、より柔らかい洗浄感となる。又、ノズル手前で混入した場合は、混入から吐水口までの距離が長ければ長いほど、洗浄水に混入された空気は周囲の空気塊と合致し、大きな気泡となっったり、洗浄水と空気が分離した状態の二層流となって噴射される。従ってこの場合、吐水口から洗浄水と空気塊が交互に噴射されて、洗浄水の変動は大きくなり、より強い刺激や振動をもった洗浄を行なうことが出来る。
【０１４７】
又、以上の実施例で示した人体局部洗浄装置は携帯して人体局部の洗浄を行なう携帯用人体局部洗浄装置としても用いることが可能である。この場合、洗浄水の節水を行なえることでタンク内の洗浄水がすぐになくなるといった不満を解消できるだけでなく、目的によって洗浄範囲の拡大や、洗浄力の向上も同時に行なうことが可能となる。
【０１４８】
又、以上の実施例で示した洗浄装置は、人体洗浄装置のみでなく食器洗浄装置としても用いることが可能である。
【図面の簡単な説明】
【図１】本発明に用いられる人体局部洗浄装置の水路構成図
【図２】（ａ）本発明の第１実施例に係わる洗浄ノズルの横からの断面図。
（ｂ）本発明の第１実施例に係わるＡＡ断面図。
（ｃ）本発明の第１実施例に係わるＢＢ断面図。
【図３】（ａ）本発明の第１実施例に係わる揺動部の横からの断面図。
（ｂ）本発明の第１実施例に係わる揺動部の横からの断面図。
【図４】本発明の第１実施例に係わる洗浄ノズルの断面図および吐水状態図。
【図５】（ａ）本発明の第２実施例に係わる揺動部の横からの断面図。
（ｂ）本発明の第２実施例に係わる洗浄ノズルの断面図および吐水状態図。
【図６】本発明の第２実施例に係わる洗浄ノズルの断面図および吐水状態図。
【図７】本発明の第３実施例に係わる水車の横視図。
【図８】本発明の第３実施例に係わる洗浄ノズルの断面図および吐水状態図。
【図９】（ａ）本発明の第３実施例に係わる非通水時の洗浄ノズルの横断面図。
（ｂ）本発明の第３実施例に係わる通水時の洗浄ノズルの横断面図。
【図１０】本発明の第３実施例に係わる吐水状態図
【図１１】（ａ）本発明の第４実施例に係わるシャワー装置の横からの断面図。
（ｂ）本発明の第４実施例に係わるシャワー装置の下からの断面図。
【図１２】本発明の第４実施例に係わるシャワー装置の吐水状態図。
【図１３】（ａ）本発明の第５実施例に係わる洗浄ノズルの横からの断面図。
（ｂ）本発明の第５実施例に係わる通水時の洗浄ノズルの横からの断面図。
【図１４】従来例
【符号の説明】
１…洗浄ノズル
２…通水路
３…旋回室流入路
４…旋回室
５…シール部
６…旋回室流出口
１０…揺動部
１１…吐水口
１１ａ…吐水口部
１２…羽根
１３…給水口
１５…吐水口
１５ａ…吐水口部
１６…揺動部
１７…給水口
１８…ガイド部
１９…羽根
２０…揺動部
２１…吐水口
２１ａ…吐水口部
２２…羽根
２３…給水口
２４…旋回室
２６…旋回室流出口
２８…テーパガイド部
３１…洗浄ノズル
３２…通水路
３３…旋回室流入路
３４…シール部
４０…水車
４１…水車羽根
４２…遮蔽部
４３…水車軸
４７…回転室
５１…洗浄ノズル
５１ａ…洗浄ノズル胴体部
５２…通水路
５３…旋回室流入路
５４…旋回室
５６…シール部
５８…テーパガイド部
６１…洗浄ノズル
６２…通水路
６３…旋回室流入路
６４…旋回室
７０…揺動部
７１…吐水口
７２…受力部
７３…給水口
７４…テーパガイド部
７５…弾性体
７５ａ…弾性体膜状部
８１…フィルタ
８２…逆止弁
８３…調圧弁
８４…電磁弁
８５…逃がし弁
８６…熱交換器
８７…流量調整弁
８９…ノズル駆動モータ
９０…揺動部
９１…シャワー装置
９２…吐水口
９３…給水口
９４…旋回室
９５…バッファ室流入路
９６…通水路
９７…受力部
９８…バッファ室
９９…弾性体
１００…ホース
１０１…旋回ガイド
１１０…揺動部
１１１…吐水口
１１２…受力部
１１３…給水口
１１４…テーパガイド部
１１５…弾性体
１１６…オリフィス
１１７…スロート室
１１８…空気吸込口
１２１…洗浄ノズル
１２２…通水路
１２３…旋回室流入路
１２４…旋回室
【図１】
0004721025.tif 000002
【図２】
0004721025.tif 000003
【図３】
0004721025.tif 000004
【図４】
0004721025.tif 000005
【図５】
0004721025.tif 000006
【図６】
0004721025.tif 000007
【図７】
0004721025.tif 000008
【図８】
0004721025.tif 000009
【図９】
0004721025.tif 000010
【図１０】
0004721025.tif 000011
【図１１】
0004721025.tif 000012
【図１２】
0004721025.tif 000013
【図１３】
0004721025.tif 000014
【図１４】
0004721025.tif 000015